(57)【要約】【課題】移動可能であると共に自立運転が可能な可搬式滅菌処理システムを提供すること。【解決手段】底板１１と、底板１１から起立する側板１２および背板１３と、底板１１、側板１２、背板１３の少なくとも一つの内側面に取り付けられた仕切板１５と、底板１１または側板１２の底側面に取り付けられた自在車輪１４を有するラック型の本体部１０と、仕切板１５により仕切られた本体部１０の内部空間１０Ａに形成された区画１８のいずれかに配設された蒸気滅菌器２０と、区画１８のいずれかに配設され、蒸気滅菌器２０に給電する発電機３０と、区画１８のいずれかに配設され、蒸気滅菌器２０からの排水を貯める排水タンク５０と、を具備することを特徴とする可搬式滅菌処理システム１００である。【選択図】図１
2020189036.tif 000002
【特許請求の範囲】
【請求項１】
底板と、前記底板から起立する側板および背板と、前記底板、前記側板、前記背板の少なくとも一つの内側面に取り付けられた仕切板と、前記底板または前記側板の底側面に取り付けられた自在車輪を有するラック型の本体部と、
前記仕切板により仕切られた前記本体部の内部空間に形成された区画のいずれかに配設された蒸気滅菌器と、
前記区画のいずれかに配設され、前記蒸気滅菌器に給電する発電機と、
前記区画のいずれかに配設され、前記蒸気滅菌器からの排水を貯める排水タンクと、
を具備することを特徴とする可搬式滅菌処理システム。
【請求項２】
前記区画のいずれかには前記蒸気滅菌器と前記発電機とを電気的に接続する電工ドラムがさらに配設されていることを特徴とする請求項１記載の可搬式滅菌処理システム。
【請求項３】
前記区画のいずれかには前記蒸気滅菌器への給水を行う給水タンクがさらに配設されていることを特徴とする請求項１または２記載の可搬式滅菌処理システム。
【請求項４】
前記側板または前記背板には前記内部空間を閉塞可能な開閉カバーが取り付けられていることを特徴とする請求項１〜３のうちのいずれか一項に記載の可搬式滅菌処理システム。
【請求項５】
前記開閉カバーの内側には照明が取り付けられていると共に前記照明からの光を前記内部空間に向けて反射させる反射部が形成されていることを特徴とする請求項４記載の可搬式滅菌処理システム。
【請求項６】
前記開閉カバーは、前記排水タンクの水位計に対応する位置が前記本体部の外側位置から視認可能に形成されていることを特徴とする請求項４または５記載の可搬式滅菌処理システム。
【請求項７】
前記本体部には前記発電機と電気的に接続されたＵＳＢ充電端子が配設されていることを特徴とする請求項１〜６のうちのいずれか一項に記載の可搬式滅菌処理システム。
【請求項８】
前記本体部には水準器が配設されていることを特徴とする請求項１〜７のうちのいずれか一項に記載の可搬式滅菌処理システム。
【請求項９】
前記本体部には伸長側先端部を設置面に当接可能な当接アジャスタボルトが配設されていることを特徴とする請求項１〜８のうちのいずれか一項に記載の可搬式滅菌処理システム。
【請求項１０】
前記背板または前記側板には把持部が配設されていることを特徴とする請求項１〜９のうちのいずれか一項に記載の可搬式滅菌処理システム。
【発明の詳細な説明】
【技術分野】
【０００１】
本発明は可搬式滅菌処理システムに関し、より詳細には、災害発生現場等においても自立運転することが可能な可搬式滅菌処理システムに関する。
【背景技術】
【０００２】
病院等において医療器具等を滅菌処理するための装置として滅菌器が広く使用されている。このような滅菌器は大型のものから卓上型のものまで幅広い製品が提供されているが、基本的には特定箇所に据え付けた状態で用いられることがほとんどである。このような滅菌器を運搬可能にした構成としては、例えば特許文献１（特開２０１２−８５９２９号公報）に開示されているような構成のものが知られている。
【先行技術文献】
【特許文献】
【０００３】
【特許文献１】特開２０１２−８５９２９号公報（明細書段落００１１−００１４，図１等）
【発明の概要】
【発明が解決しようとする課題】
【０００４】
特許文献１には、キャスター（自在車輪）が取り付けられた基礎台（本体部）に蒸気滅菌器、給排水タンク、真空ポンプが搭載された、いわゆる可搬式滅菌処理システムに関する構成が開示されている。しかしながら、特許文献１に開示されている可搬式滅菌処理システムには、蒸気滅菌器や真空ポンプを作動させるための給電装置が設けられていない。したがって、災害発生現場等のような電源が確保することのできない現場においては滅菌処理を行うことができず、災害発生現場における医療行為に制約が生じてしまうといった重大な課題を有している。
【課題を解決するための手段】
【０００５】
そこで本発明は上記課題を解決すべくなされ、その目的とするところは、任意の場所に移動可能であると共に移動先において自立運転が可能な可搬式滅菌処理システムを提供することにある。
【０００６】
上記課題を解決するために発明者が鋭意研究した結果、以下の構成に想到した。すなわち本発明は、底板と、前記底板から起立する側板および背板と、前記底板、前記側板、前記背板の少なくとも一つの内側面に取り付けられた仕切板と、前記底板または前記側板の底側面に取り付けられた自在車輪を有するラック型の本体部と、前記仕切板により仕切られた前記本体部の内部空間に形成された区画のいずれかに配設された蒸気滅菌器と、前記区画のいずれかに配設され、前記蒸気滅菌器に給電する発電機と、前記区画のいずれかに配設され、前記蒸気滅菌器からの排水を貯める排水タンクと、を具備することを特徴とする可搬式滅菌処理システムである。
【０００７】
これにより、任意の場所に移動が可能であると共に、移動先において自立運転させることができる可搬式滅菌処理システムを提供することができる。
【０００８】
また、前記区画のいずれかには前記蒸気滅菌器と前記発電機とを電気的に接続する電工ドラムがさらに配設されていることが好ましい。
【０００９】
これにより、発電機を本体部から離れたところに設置することができるため、滅菌処理を行う場所周辺の衛生環境を向上させることができる。
【００１０】
また、前記区画のいずれかには前記蒸気滅菌器への給水を行う給水タンクがさらに配設されていることが好ましい。
【００１１】
これにより、蒸気滅菌器への水の供給作業が簡略化され、使い勝手に優れた可搬式滅菌処理システムにすることができる。
【００１２】
また、前記側板または前記背板には前記内部空間を閉塞可能な開閉カバーが取り付けられていることが好ましく、前記開閉カバーの内側には照明が取り付けられていると共に前記照明からの光を前記内部空間に向けて反射させる反射部が形成されていることがより好ましく、前記開閉カバーは、前記排水タンクの水位計に対応する位置が前記本体部の外側位置から視認可能に形成されていることがさらに好ましい。
【００１３】
これらによれば、可搬式滅菌処理システムを操作する際における使い勝手が向上し、夜間等においても滅菌処理が可能になり、蒸気滅菌器からの排水処理も的確に行うことができる。
【００１４】
また、前記本体部には前記発電機と電気的に接続されたＵＳＢ充電端子が配設されていることが好ましい。
【００１５】
これにより、タブレット端末等の充電が可能になり、タブレット端末にインストールしたアプリケーション等を用いて医療器具の滅菌処理管理を継続的に行うことができる。また携帯電話等の充電も可能になる。
【００１６】
また、前記本体部には水準器が配設されていることが好ましい。また、前記本体部には伸長側先端部を設置面に当接可能な当接アジャスタボルトが配設されていることが好ましい。
【００１７】
これらにより、設置面が平坦面や水平面でない場所においても可搬式滅菌処理システムを適正な状態で据え付けすることができ、確実な滅菌処理を行うことができる。
【００１８】
また、前記背板または前記側板には把持部が配設されていることが好ましい。
【００１９】
これにより、可搬式滅菌処理システムの移動が容易になる。
【発明の効果】
【００２０】
本発明における可搬式滅菌処理システムの構成を採用することにより、任意の場所まで容易に移動させることが可能であると共に、移動先に電源がない場所であっても自立運転をすることができる。以上により災害発生現場等においても医療機器の滅菌処理を機動的かつ継続的に行うことができ、災害発生現場等においても医療処置の制約を最小限に抑えることができる。
【図面の簡単な説明】
【００２１】
【図１】本実施形態における可搬式滅菌処理システムの使用状態の一例を示す斜視図である。
【図２】本実施形態における可搬式滅菌処理システムの使用状態の一例を示す斜視図である。
【図３】図１に対応する可搬式滅菌処理システムの正面図、背面図、右側面図、左側面図、平面図、底面図である。
【図４】図２に対応する可搬式滅菌処理システムの正面図、背面図、右側面図、左側面図、平面図、底面図である。
【発明を実施するための形態】
【００２２】
以下、本発明にかかる可搬式滅菌処理システムの実施形態について、図面に基づいて具体的に説明する。図１および図２はいずれも本実施形態における可搬式滅菌処理システムの使用状態の一例を示す斜視図である。図３および図４は本実施形態における可搬式滅菌処理システムの使用状態の一例を示す正面図、背面図、右側面図、左側面図、平面図、底面図である。図１〜図４に示すように本実施形態における可搬式滅菌処理システム１００は、移動可能なラック型に形成された本体部１０と、本体部１０に設けられた蒸気滅菌器２０、発電機３０、給水タンク４０、排水タンク５０、電工ドラム６０を具備している。
【００２３】
本体部１０は、底板１１と、底板１１から起立する側板１２および背板１３と、底板１１の底側面に取り付けられた自在車輪１４と、仕切板１５と、開閉カバー１６と把持部１７を有している。本実施形態における底板１１は平面視長方形状に形成されており、それぞれの短手側端縁には側板１２が取り付けられ、長手側端縁の一方には背板１３が取り付けられていて、側板１２および背板１３はいずれも底板１１から起立した状態で組み立てられている。底板１１の底側面には自在車輪１４の他に伸長側の先端部が設置面に当接可能な当接アジャスタボルト１４Ａが取り付けられている。自在車輪１４にストッパが付いている場合には当接アジャスタボルト１４Ａの取り付けは省略可能である。本実施形態における本体部１０の内部空間１０Ａとは、底板１１と側板１２および背板１３により囲まれてなる空間を指している。
【００２４】
このような本体部１０によれば、使用者は側板１２の適宜高さ位置に取り付けられた把持部１７を把持して本体部１０（可搬式滅菌処理システム１００）を任意の位置に移動させることができる。また、移動先の位置で当接アジャスタボルト１４Ａを伸長させて当接アジャスタボルトの伸長側先端部（下端部）を設置面に当接させれば、本体部１０（可搬式滅菌処理システム１００）を安定させた状態で設置することができる。このとき、本体部１０に取り付けられた水準器９０を確認しながら本体部１０の設置を行うことで、本体部１０を水平に設置することができる。なお、把持部１７は背板１３の適宜高さ位置に設けても良い。
【００２５】
本実施形態における仕切板１５は、本体部１０の内部空間１０Ａを縦方向に区画する縦仕切板１５Ａと、本体部１０の内部空間１０Ａを横方向に区画する横仕切板１５Ｂとを有している。縦仕切板１５Ａは側板１２および背板１３の内側面に公知の手法により取り付けられている。また、横仕切板１５Ｂは底板１１および背板１３と、縦仕切板１５Ａの内側面に公知の手法により取り付けられている。本実施形態における本体部１０にはそれぞれ一枚の縦仕切板１５Ａおよび横仕切板１５Ｂが取り付けられており、本体部１０の内部空間１０Ａは横に２箇所×縦に２箇所の４つの区画１８に区切られている。なお、本体部１０の内部空間１０Ａに取り付ける仕切板１５の数を適宜変更することにより、本体部１０の内部空間１０Ａに形成される区画１８の数を任意の数に変更することができる。
【００２６】
また、背板１３の上側端縁には本体部１０の内部空間１０Ａを閉塞可能な開閉カバー１６が取り付けられている。本実施形態においては内部空間１０Ａに形成された上側２箇所の区画１８に合わせて開閉カバー１６の一部としての上側開閉カバー１６Ａが図示しないヒンジ等を用いて背板１３の上側端縁を回転の中心として回動可能に取り付けられ、図１および図３に示す状態と図２および図４に示す状態を適宜切り替え可能になっている。このような上側開閉カバー１６Ａを取り付けることにより、移動時や保管時において区画１８内への異物の侵入や、稼働による騒音を防ぐことができる。上側開閉カバー１６Ａには区画１８の状態が本体部１０の外部から目視確認できるように開口窓ＫＭが形成されている。開口窓ＫＭの部分には透明板を取り付けておくことが好ましい。上側開閉カバー１６Ａの内側面にはＬＥＤライトに代表される照明７０が取り付けられていると共に、照明７０による光を本体部１０の内部空間に向けて反射させるように反射部としての反射板７２が取り付けられている。
【００２７】
また、側板１２の正面側端縁には本体部１０の下側２つの区画１８に合わせて開閉カバー１６の一部としての下側開閉カバー１６Ｂが図示しないヒンジ等を用いて側板１２の正面側端縁を回転の中心として回動可能に取り付けられている。これにより本体部１０（可搬式滅菌処理システム１００）は図１および図３に示す状態と図２および図４に示す状態を適宜切り替え可能になっている。このような下側開閉カバー１６Ｂを取り付けることにより、移動時や保管時において区画１８内への異物の侵入や、稼働による騒音を防ぐことができる。
【００２８】
また、本実施形態においては、本体部１０を正面視した際の左下位置になる区画１８に上記滅菌器からの排水を貯める排水タンク５０が配設されていて、この排水タンク５０の配設位置に対応する下側開閉カバー１６Ｂの一部に開口窓ＫＭが形成されている。この開口窓ＫＭの位置は、排水タンク５０の水位計５２の位置に対応させた状態で形成されている。上側開閉カバー１６Ａと同様に、開口窓ＫＭの部分には透明板を取り付けておくことが好ましい。下側開閉カバー１６Ｂそのものを透明材料によって形成すれば、下側開閉カバー１６Ｂへの開口窓ＫＭの配設を省略することができる。さらには、下側開閉カバー１６Ｂにも上側開閉カバー１６Ａと同様に照明および反射板（いずれも図示せず）を設けることもできる。
【００２９】
図１および図３に示すように本実施形態においては、本体部１０に形成された区画１８のうち、本体部１０を正面視した際に左上位置となる区画１８に蒸気滅菌器２０が配設されている。本実施形態における蒸気滅菌器２０はいわゆる卓上型の蒸気滅菌器２０が好適に用いることができる。蒸気滅菌器２０の構成は公知のものを用いることができるため、ここでは蒸気滅菌器２０についての詳細な説明は省略する。
【００３０】
また、本体部１０を正面視した際に左下位置となる区画１８には発電機３０と排水タンク５０が配設されている。発電機３０と排水タンク５０はいずれも本体部１０の左下位置の区画１８に出し入れ可能に収容されている。発電機３０はいわゆる可搬式の発電機３０が好適に用いることができる。このような可搬式の発電機３０の構成は公知であるため、ここでは発電機３０についての詳細な説明は省略する。排水タンク５０には、排水タンク５０の水位を示す水位計５２が取り付けられていて、下側開閉カバー１６Ｂに形成された開口窓ＫＭを介して本体部１０の外側位置から排水タンク５０の水位が視認可能になっている。図１に示すように排水タンク５０は、蒸気滅菌器２０の下方位置に配設されているのが好ましい。
【００３１】
また、本体部１０を正面視した際に右上位置となる区画１８には給水タンク４０が配設されている。給水タンク４０は蒸気滅菌器２０に精製水または蒸留水を供給するものであり、図示しない給水プラグを介して蒸気滅菌器２０に接続分離可能に接続されている。本実施形態においては、給水タンク４０はベルト４２によって横仕切板１５Ｂ（区画１８の底面）に固定されている。給水タンク４０はスペーサ（図示はせず）の上に載置することにより、蒸気滅菌器２０における図示しない給水口の高さ位置よりも給水タンク４０の底面高さ位置が上方となるように配設しておけば、給水用動力を配設することなく給水タンク４０内のすべての水を蒸気滅菌器２０に供給する（給水する）ことができるため好都合である。
【００３２】
また、図１に示すように、本体部１０を正面視した際に右下位置となる区画１８には、電工ドラム６０が収容されている。電工ドラム６０は蒸気滅菌器２０と発電機３０とを電気的に接続し、発電機３０により発電した電力を蒸気滅菌器２０に供給する（給電する）ものであり、本体部１０の右下位置の区画１８に出し入れ可能である。また、電工ドラム６０には、ＵＳＢ充電端子８０が電気的に接続されていて、本体部１０の外側面にＵＳＢ充電端子８０が取り付けられていて、可搬式滅菌処理システム１００の動作制御や滅菌処理品に関するデータ管理を行うためのタブレット端末等（図示はせず）を充電することができる。
【００３３】
以上に説明した可搬式滅菌処理システム１００の使い方について説明する。使用者は、把持部１７を把持した状態で可搬式滅菌処理システム１００押したり引いたりして自在車輪１４を回転させて可搬式滅菌処理システム１００を任意の設置位置まで移動させる。使用者は設置位置にて自在車輪１４のストッパをオンにして自在車輪１４を固定すると共に、水準器９０を確認しながら当接アジャスタボルト１４Ａを伸長させ、当接アジャスタボルト１４Ａの伸長側先端部（下端部）を設置面に当接させて可搬式滅菌処理システム１００を水平にした状態で固定する。
【００３４】
次に使用者は、発電機３０を区画１８から取り出し、室外または可搬式滅菌処理システム１００の設置位置から適宜離れた位置に発電機３０を設置し、発電機３０を稼働させる。発電機３０には電工ドラム６０が電気的に接続されていると共に電工ドラム６０には蒸気滅菌器２０、照明７０、ＵＳＢ充電端子８０が電気的に接続されているので、発電機３０が発電した電力は可搬式滅菌処理システム１００に給電され、可搬式滅菌処理システム１００を稼働させることができる。次に使用者は、蒸気滅菌器２０と給水タンク４０および排水タンク５０とに接続されている給排水路をそれぞれ開通させ、滅菌対象物を蒸気滅菌器２０の処理チャンバ内に収容し、蒸気滅菌器２０を稼働させる。使用者は本体部１０の内部空間１０Ａ（それぞれの区画１８）を確認しながら、給水タンク４０の交換または給水処理や、排水タンク５０の交換または排水処理を適宜行うことで、連続的な滅菌処理を行うことができる。
【００３５】
また、使用者は必要に応じて照明７０を点灯させ、上側開閉カバー１６Ａの反射板７２の向きを調整して内部空間１０Ａに光を照らしたり、ＵＳＢ充電端子８０にタブレット端末や携帯電話等を接続して充電させることもできる。以上のようにして本実施形態における可搬式滅菌処理システム１００は、任意の位置で自立運転させることができるため、災害発生時等においても場所を選ばず確実に滅菌処理を行うことができ、医療行為の制約を受けることがない点において好都合である。
【００３６】
以上、本発明にかかる可搬式滅菌処理システム１００について実施形態に基づいて説明したが、本発明にかかる可搬式滅菌処理システム１００は以上に説明した実施形態に限定されるものではない。例えば以上に説明した実施形態における蒸気滅菌器２０，発電機３０，給水タンク４０，排水タンク５０を配設する区画１８の位置は一例であるため、各構成を配設すべき区画１８の位置が限定されるものではない。蒸気滅菌器２０，発電機３０，給水タンク４０，排水タンク５０はいずれか任意の区画１８に配設することができる。また、以上の実施形態においては、自在車輪１４を底板１１の底側面に取り付けた構成について説明しているが、自在車輪１４は側板１２の底側面に取り付けることもできる。そして、縦仕切板１５Ａは底板１１の上側面（内側面）または背板１３の内側面のいずれか一方のみに公知の手法により取り付けるようにしてもよい。これと同様に、横仕切板１５Ｂは側板１２の内側面または背板１３の内側面のいずれか一方のみに公知の手法により取り付けるようにしてもよい。
【００３７】
また、以上に説明した実施形態における可搬式滅菌処理システム１００は給水タンク４０と電工ドラム６０を有し、上側開閉カバー１６Ａに照明７０と反射板７２が取り付けられ、上側開閉カバー１６Ａおよび下側開閉カバー１６Ｂに開口窓ＫＭが形成された構成について説明しているが、これらの構成は本発明における必須要件ではないため省略することもできる。
【００３８】
以上に説明した実施形態から給水タンク４０を省略した場合には、蒸気滅菌器２０への給水は使用者により適宜行うこともできる。蒸気滅菌器２０と発電機３０を直接電気的に接続することができれば、電工ドラム６０を省略することもできる。上側開閉カバー１６Ａの反射板７２は上側開閉カバー１６Ａの内側面を光の反射が可能にしておけば、反射板７２の配設は省略することができる。また、反射板７２は上側開閉カバー１６Ａを開いた状態にしたときに、照明７０の光を内部空間１０Ａに向けて反射せるように予め角度調整をしておくことが好ましい。そして、外部照明の設置が可能である場合には、照明７０および反射板７２の配設自体を省略することもできる。さらには上側開閉カバー１６Ａの配設自体を省略することもできる。
【００３９】
そして可搬式滅菌処理システム１００の使用時において、下側開閉カバー１６Ｂを常時開いた状態にしておけば開口窓ＫＭの配設を省略することもできる。さらには、下側開閉カバー１６Ｂの配設自体を省略することも可能である。
【００４０】
また、以上に説明した実施形態における各種変形例どうしを適宜組み合わせた構成を採用することも可能である。
【符号の説明】
【００４１】
１０  本体部，１０Ａ  内部空間，
１１  底板，１２  側板，１３  背板，
１４  自在車輪，１４Ａ  当接アジャスタボルト，
１５  仕切板，１５Ａ  縦仕切板，１５Ｂ  横仕切板，
１６  開閉カバー，１６Ａ  上側開閉カバー，１６Ｂ  下側開閉カバー，
１７  把持部，１８  区画，
２０  蒸気滅菌器，３０  発電機，
４０  給水タンク，４２  ベルト，
５０  排水タンク，５２水位計，
６０  電工ドラム，
７０  照明，７２  反射板，
８０  ＵＳＢ充電端子，９０  水準器，
１００  可搬式滅菌処理システム，
ＫＭ  開口窓
【図１】
2020189036.tif 000003
【図２】
2020189036.tif 000004
【図３】
2020189036.tif 000005
【図４】
2020189036.tif 000006